Podtech/llm-jp-corpus-v4-ja_patent huggingface dataset:
【手続補正書】
【提出日】平成22年9月2日(2010.9.2)
【手続補正１】
【補正対象書類名】明細書
【補正対象項目名】００１０
【補正方法】変更
【補正の内容】
【００１０】
制御装置５０は、偏差演算部５０ａと、比例・積分演算部（ＰＩ演算部）５０ｂを有している。またこの制御装置５０には、目標温度ＴＯ（例えば＋５°Ｃ）が予め設定されている。この目標温度ＴＯは、ガスタービン１０を安定して燃焼（運転）させることができる吸入空気温度として、各ガスタービン１０の特性に応じて予め設定した温度である。
【手続補正２】
【補正対象書類名】明細書
【補正対象項目名】００１１
【補正方法】変更
【補正の内容】
【００１１】
制御装置５０の偏差演算部５０ａは、測定温度ｔ１と目標温度ＴＯとの偏差演算をして、偏差温度Δｔ（＝ＴＯ−ｔ１）を求める。比例・積分演算部５０ｂは偏差温度ΔｔをＰＩ演算して、弁開度指令Ｐを出力する。そして、この弁開度指令Ｐに応じて、制御弁３２の弁開度を調整している。
【手続補正３】
【補正対象書類名】明細書
【補正対象項目名】００１８
【補正方法】変更
【補正の内容】
【００１８】
しかし、従来では、熱交換器３０に供給する蒸気を、補助蒸気から自缶蒸気に切り替えるときや、逆に、自缶蒸気から補助蒸気に切り替えるときには、補助蒸気と自缶蒸気の蒸気条件（蒸気温度や蒸気圧力等）が異なるため、加熱後の吸入空気Ａ′の温度の変動が生じることがあったが、従来ではこのような変動を抑制する制御手法がなかった。
【手続補正４】
【補正対象書類名】明細書
【補正対象項目名】００１９
【補正方法】変更
【補正の内容】
【００１９】
このため、熱交換器３０に供給する蒸気を、補助蒸気から自缶蒸気に切り替えるときや、逆に、自缶蒸気から補助蒸気に切り替えるときに、加熱後の吸入空気Ａ′の温度の変動が生じてガスタービン１０の安定燃焼を確保できないおそれがあった。
【手続補正５】
【補正対象書類名】明細書
【補正対象項目名】００３１
【補正方法】変更
【補正の内容】
【００３１】
吸気ダクト１５には吸気加熱用の熱交換器３０が介装されている。この熱交換器３０には、自缶蒸気管４００を介して自缶蒸気Ｓ１が供給されると共に、補助蒸気管５００を介して補助蒸気Ｓ２が供給される。熱交換器３０は、供給された蒸気Ｓ（自缶蒸気Ｓ１及び補助蒸気Ｓ２を総称して「蒸気Ｓ」と称する）の熱により、ガスタービン１０に吸入される空気Ａを加熱（熱交換）している。
【手続補正６】
【補正対象書類名】明細書
【補正対象項目名】００３２
【補正方法】変更
【補正の内容】
【００３２】
自缶蒸気管４００には、自缶蒸気用制御弁４１が介装され、更に、自缶蒸気Ｓ１の圧力を検出する圧力計４２と、自缶蒸気Ｓ１の温度を検出する温度計４３が備えられている。
【手続補正７】
【補正対象書類名】明細書
【補正対象項目名】００３５
【補正方法】変更
【補正の内容】
【００３５】
補助蒸気管５００には、補助蒸気用制御弁５１が介装され、更に、補助蒸気Ｓ２の圧力を検出する圧力計５２と、補助蒸気Ｓ２の温度を検出する温度計５３が備えられている。
【手続補正８】
【補正対象書類名】明細書
【補正対象項目名】００４２
【補正方法】変更
【補正の内容】
【００４２】
自缶蒸気使用係数発生部１０２は、自缶蒸気使用係数Ｊを自缶蒸気用制御部２００（具体的には、出力調整部２０３）と補助蒸気用制御部３００（具体的には、出力調整部３０４）に送る。この自缶蒸気使用係数Ｊの値は、次のように変化する（図４（ｂ）参照）。
（１）自缶蒸気使用係数発生部１０２に、蒸気源切替信号ＴＳ１が入力されると、自缶蒸気使用係数Ｊの値は、予め決めた設定時間において、「１」から次第に減少して「０」となり、予め決めた時間が経過した後は「０」を保持する（図４（ｂ）のγ〜δの期間）。
（２）自缶蒸気使用係数発生部１０２に、蒸気源切替信号ＴＳ２が入力されると、自缶蒸気使用係数Ｊの値は、予め決めた設定時間において、「０」から次第に増加して「１」となり、予め決めた時間が経過した後は「１」を保持する（図４（ｂ）のα〜βの期間）。
【手続補正９】
【補正対象書類名】明細書
【補正対象項目名】００６３
【補正方法】変更
【補正の内容】
【００６３】
補正係数演算関数部３１１には、圧力計５２により測定した補助蒸気Ｓ２の圧力を示す補助蒸気圧力ＳＰ２が入力され、補正係数演算関数部３１２には、温度計５３により測定した補助蒸気Ｓ２の温度を示す補助蒸気温度ＳＴ２が入力される。
補正係数演算関数部３１３には、ＩＧＶ１１ａの開度を検出するセンサ（図示省略）により測定したＩＧＶ開度ＯＰが入力され、弁開度指令関数演算部３１４には、ガスタービン１０の回転数を検出するセンサ（図示省略）により測定したガスタービン回転数Ｎが入力される。
偏差演算部３１６には、大気の温度を検出するセンサ（図示省略）により測定した大気温度ｔ２と、目標温度ＴＯが入力される。この偏差演算部３１６は、大気温度ｔ２と目標温度ＴＯとの偏差演算をして、温度差ｄｔ２（＝ＴＯ−ｔ２）を求める。
【手続補正１０】
【補正対象書類名】明細書
【補正対象項目名】００７１
【補正方法】変更
【補正の内容】
【００７１】
弁開度指令演算関数ＦＸ２４は、ガスタービン回転数Ｎが大きくなると弁開度指令ｄ２が次第に増加する関数特性を有しており、例えばガスタービン回転数Ｎが６００［ｒｐｍ］であれば値が４．１％となっている弁開度指令ｄ２を出力し、ガスタービン回転数Ｎが３６００［ｒｐｍ］であれば値が１７．４％となっている弁開度指令ｄ２を出力する。
【手続補正１１】
【補正対象書類名】明細書
【補正対象項目名】０１３１
【補正方法】変更
【補正の内容】
【０１３１】
１０  ガスタービン
１１ａ  入口案内翼
１５  吸気ダクト
３０  熱交換器
４００  自缶蒸気管
４１  自缶蒸気用制御弁
５００  補助蒸気管
５１  補助蒸気用制御弁
１００  制御装置
１０１  蒸気源切替信号発生部
１０２  自缶蒸気使用係数発生部
２００  自缶蒸気用制御部
２１０  自缶蒸気用先行制御部
３００  補助蒸気用制御部
３１０  補助蒸気用先行制御部
Ａ，Ａ′  空気
Ｓ１  自缶蒸気
Ｓ２  補助蒸気
ＴＳ１，ＴＳ２  蒸気源切替信号
Ｊ  自缶蒸気使用係数
【手続補正１２】
【補正対象書類名】図面
【補正対象項目名】図１
【補正方法】変更
【補正の内容】
【図１】
2009057950.tif 000001
【手続補正１３】
【補正対象書類名】図面
【補正対象項目名】図２
【補正方法】変更
【補正の内容】
【図２】
2009057950.tif 000002
【手続補正１４】
【補正対象書類名】図面
【補正対象項目名】図３
【補正方法】変更
【補正の内容】
【図３】
2009057950.tif 000003
【手続補正１５】
【補正対象書類名】図面
【補正対象項目名】図５
【補正方法】変更
【補正の内容】
【図５】
2009057950.tif 000004
【手続補正書】
【提出日】平成22年8月26日(2010.8.26)
【手続補正１】
【補正対象書類名】明細書
【補正対象項目名】００２５
【補正方法】変更
【補正の内容】
【００２５】
又、図２の（Ｂ）に示す様に、各プランジャ９、９が、所定位置からラジアルニードル軸受の軸方向に関して同じ側にずれ、上記外輪７ａが弾性変形しつつ、上記各ニードル８、８の軸方向一端部｛図２の（Ｂ）の左端部｝を押圧した場合でも、これら各ニードル８、８が外輪軌道１６ａに倣って傾斜しつつ、それぞれの転動面の軸方向中間部とカム面６ｂとを転がり接触させる。従って、上記図２の（Ｂ）に示した状態でも、上記各ニードル８、８の転動面と外輪軌道１６ａ及びカム面６ｂとの転がり接触部にエッジロードに基づく過大面圧が作用する事はない。
この為、プランジャポンプの構成各部材の寸法精度、及び、これら各部材の組み付け精度を極端に高くしなくても、上記各ニードル８、８の転動面と、上記外輪軌道１６ａと、上記カム面６ｂとの転がり疲れ寿命を確保して、上記ラジアルニードル軸受、延いては、このラジアルニードル軸受を組み込んだプランジャポンプの耐久性を確保できる。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
下記一般式（１）で表されるヒドラゾン化合物。
【化１】
2009057314.tif 000001
（式中、Ｐｙは２−ピリジル基、３−ピリジル基又は４−ピリジル基を示す。）
【請求項２】
下記一般式（１）で表され、少なくとも１種の金属種に配位して金属錯体を形成する、
金属錯体形成用ヒドラゾン化合物。
【化２】
2009057314.tif 000002
（式中、Ｐｙは２−ピリジル基、３−ピリジル基又は４−ピリジル基を示す。）
【請求項３】
請求項１に記載のヒドラゾン化合物からなる、金属錯体形成用配位子。
【請求項４】
請求項１に記載のヒドラゾン化合物からなる、高分子化合物製造用単量体。
【手続補正書】
【提出日】平成22年8月31日(2010.8.31)
【手続補正１】
【補正対象書類名】明細書
【補正対象項目名】００２０
【補正方法】変更
【補正の内容】
【００２０】
ジクロベニルを用いる場合、該成分は容易に昇華飛散することから、昇華抑制剤として酸化第二鉄１〜１０％を添加し、またイマゾスルフロンを用いる場合、該成分の分解防止剤としてシクロデキストリン１〜１０％を加えて、これら有効成分の安定性と除草効果の持続性を高めてもよい。
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
鋼構造物どうしの接合部位を含む周囲の範囲を、当該接合部位に有害物質が浸透する事を防ぐため、樹脂の塗膜を施すことを特徴とする防錆の方法。
【請求項２】
上下に延びる鋼構造物の周囲のコンクリートが接触する接触部につき、この接触部とこの接触部の上下とにわたって樹脂の塗膜を施し、
上記接触部に沿って上記鋼構造物の周囲にわたってコンクリートを打ち込んで乾燥させ、
このコンクリート上面と上記鋼構造物周囲との境界に沿って、コンクリート上面及び鋼構造物周囲にわたって、樹脂の塗膜を施すことを特徴とする防錆の方法。
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
画像形成部と、前記画像形成部により画像が形成されたシートを前記画像形成部に再度搬送する再搬送部とを有する画像形成装置において、
前記再搬送部は、
画像が形成されたシートを支持する複数のシート支持部と、
前記複数のシート支持部を、シートを受け入れる受入れ位置及び支持したシートを搬出する搬出位置に移動させる移動部材と、を備え、
前記複数のシート支持部により支持されたシートを前記搬出位置にて搬出する際、前記受入れ位置にて受け入れた際のシートの後端を先端として搬出することを特徴とする画像形成装置。
【請求項２】
前記シート支持部は、正転によりシートを受け入れると共に停止してシートを支持し、逆転によりシートを搬出する正逆転可能なローラ対と、前記ローラ対へのシートの受入れ及び前記ローラ対によるシートの搬出をガイドするガイド部材とを備えていることを特徴とする請求項１記載の画像形成装置。
【請求項３】
前記シート支持部が受入れ位置に移動した際、前記シート支持部をシートの受け入れが可能な状態に保持する第１保持部と、
前記シート支持部が搬出位置に移動した際、前記シート支持部をシートの搬出が可能な状態に保持する第２保持部と、
前記第１保持部によりシートの受け入れが可能な状態に保持された前記シート支持部がシートを受け入れるように前記ローラ対を駆動する第１駆動部と、
前記第２保持部によりシートの搬出が可能な状態に保持された前記シート支持部からシートを搬出するように前記ローラ対を駆動する第２駆動部と、
を備えたことを特徴とする請求項２記載の画像形成装置。
【請求項４】
画像が形成されたシートを前記再搬送部に搬送するシート搬送部を備え、
画像が形成されたシートを受け入れる際の前記移動部材の移動速度と前記ローラ対の回転速度との和を、前記シート搬送部のシート搬送速度と略同じにしたことを特徴とする請求項２又は３記載の画像形成装置。
【請求項５】
前記シート搬送部からシートを受け入れた後の前記ローラ対の回転速度を、前記シート搬送部からシートを受け入れるときよりも速くすることを特徴とする請求項４記載の画像形成装置。
【請求項６】
前記ローラ対の回転をロックするロック部と、前記ローラ対を駆動する際、前記ロック部のロックを解除するロック解除部を有することを特徴とする請求項２乃至５のいずれか１項に記載の画像形成装置。
【請求項７】
前記ローラ対が駆動されていない時は、前記ガイド部材は略水平の状態になっていることを特徴とする請求項２乃至６のいずれか１項に記載の画像形成装置。
【請求項８】
シートを受け入れた前記シート支持部を、受け入れた際の後端を先端としてシートを排出する状態に切り換える切換え部を設けたことを特徴とする請求項１乃至７のいずれか１項に記載の画像形成装置。
【請求項９】
前記移動部材の移動速度をシートのシート搬送方向の長さに応じて可変としたことを特徴とする請求項１乃至８のいずれか１項に記載の画像形成装置。
【請求項１０】
前記シート支持部に支持されたシートを冷却する冷却部を設けたことを特徴とする請求項１乃至９のいずれか１項に記載の画像形成装置。
【手続補正２】
【補正対象書類名】明細書
【補正対象項目名】００２０
【補正方法】変更
【補正の内容】
【００２０】
本発明は、画像形成部と、前記画像形成部により画像が形成されたシートを前記画像形成部に再度搬送する再搬送部とを有する画像形成装置において、前記再搬送部は、画像が形成されたシートを支持する複数のシート支持部と、前記複数のシート支持部を、シートを受け入れる受入れ位置及び支持したシートを搬出する搬出位置に移動させる移動部材と、を備え、前記複数のシート支持部により支持されたシートを前記搬出位置にて搬出する際、前記受入れ位置にて受け入れた際のシートの後端を先端として搬出することを特徴とするものである。
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
遊技場での景品交換に関する処理を行う景品交換装置と、この景品交換装置における前記景品交換処理を管理する管理コンピュータとを備えた景品交換システムであって、
前記管理コンピュータは、
暗証番号の入力なしに交換可能な景品を暗証番号非照合景品として記憶する記憶手段を備え、
前記景品交換装置は、
交換される景品が前記暗証番号非照合景品に含まれているとき、前記暗証番号の入力なしに前記景品を交換可能とするとともに、
交換される景品が前記暗証番号非照合景品に含まれていないとき、暗証番号が入力されることにより前記景品を交換可能とする
ことを特徴とする景品交換システム。
【請求項２】
前記景品交換装置は、種類の異なる複数の景品交換装置を備え、
前記複数の景品交換装置のうち、所定の景品交換装置が、
交換される景品が前記暗証番号非照合景品に含まれているとき、前記暗証番号の入力なしに前記景品を交換可能とするとともに、
交換される景品が前記暗証番号非照合景品に含まれていないとき、暗証番号が入力されることにより前記景品を交換可能とする
ことを特徴とする請求項１記載の景品交換システム。
【手続補正書】
【提出日】平成22年11月10日(2010.11.10)
【手続補正１】
【補正対象書類名】明細書
【補正対象項目名】００１２
【補正方法】変更
【補正の内容】
【００１２】
金属不織布それ自体は荷重を支えないので、請求項２〜７による措置は、代わりに又は累積的に非常に有益である。
【手続補正２】
【補正対象書類名】明細書
【補正対象項目名】００１３
【補正方法】変更
【補正の内容】
【００１３】
請求項８〜１４は、再び代わりに又は累積的に、金属不織布の簡単な交換を可能にする本発明による真空ハウジングインサートの有利な構造を反映している。
【手続補正３】
【補正対象書類名】特許請求の範囲
【補正対象項目名】全文
【補正方法】変更
【補正の内容】
【特許請求の範囲】
【請求項１】
少なくとも部分的に粉末状のバルク材料を処理するためのスクリュー機械であって、
− 内壁部（４２、４３）を備える少なくとも一つのハウジング孔（３、４；７１）を有するハウジング（２；７０）と、
− 前記ハウジング（２；７０）の一方の端部に配置された前記バルク材料用の供給開口（９；７４）と、
− 前記少なくとも一つのハウジング孔（３、４；７１）に配置された各スクリュー（７、８；７３）と、
− 前記バルク材料を供給するための前記供給開口（９；７４）の上流側に配置された計量装置（２２）と、
− 前記少なくとも一つのハウジング孔（３、４；７１）の境界を定めるガス透過性壁部（２４）を有する、入口区間（１４）の真空ハウジング部と、
− 前記少なくとも一本のスクリュー（７、８；７４）用の駆動装置（１９；７７）と、
を有するスクリュー機械において、
前記真空ハウジング部が、前記ハウジング（２；７０）に取り外し可能に取り付けられた真空ハウジングインサート（２３）として形成され、真空ハウジング部にて、１μｍ〜１０μｍのフィルター微細度を有する金属不織布（４４）がガス透過性壁部として基体（２４）に交換可能に保持されることを特徴とするスクリュー機械。
【請求項２】
前記金属不織布（４４）が、前記基体（２４）に対しガス透過性の支持本体によって支持されることを特徴とする、請求項１に記載のスクリュー機械。
【請求項３】
前記支持本体が支持織物（４３）として形成されることを特徴とする、請求項２に記載のスクリュー機械。
【請求項４】
前記支持本体と前記基体（２４）との間にガス透過性のドレナージ本体が配置されることを特徴とする、請求項１〜３のいずれか一項に記載のスクリュー機械。
【請求項５】
前記ドレナージ本体がドレナージ織物（４２）として形成されることを特徴とする、請求項４に記載のスクリュー機械。
【請求項６】
前記支持織物（４３）が、１００μｍ〜４００μｍの範囲のメッシュ幅を有することを特徴とする、請求項３に記載のスクリュー機械。
【請求項７】
前記ドレナージ織物（４２）が、５００μｍ〜１０００μｍの範囲のメッシュ幅を有することを特徴とする、請求項５に記載のスクリュー機械。
【請求項８】
前記基体（２４）が、前記少なくとも一つのハウジング孔（３、４）の内壁部（３０、３１）に適合した部分的に円筒状の少なくとも一つの支持面（２８、２９）を有し、この支持面に対し前記金属不織布（４４）が支持されることと、前記基体（２４）に取り外し可能に保持ストリップ（４５、４６、４５’、４６’）が取り付けられて、前記金属不織布（４４）を前記基体（２４）上に締め付けて保持することを特徴とする、請求項１〜７のいずれか一項に記載のスクリュー機械。
【請求項９】
前記保持ストリップ（４５、４６、４５’、４６’）が、前記金属不織布（４４）を前記基体（２４）に対し締め付けて保持するクランプウェブ（４７、４８）を有することを特徴とする、請求項８に記載のスクリュー機械。
【請求項１０】
前記少なくとも一つの支持面（２８、２９）を囲む縁部ウェブ（４０、４１）が前記基体（２４）に設けられ、それら縁部ウェブの間に前記支持本体及び／又は前記ドレナージ本体が配置されることを特徴とする、請求項１〜９のいずれか一項に記載のスクリュー機械。
【請求項１１】
前記保持ストリップ（４５、４６、４５’、４６’）が、前記少なくとも一つの孔（３、４）の前記内壁部（３０、３１）と面一に配置されることを特徴とする、請求項１〜１０のいずれか一項に記載のスクリュー機械。
【請求項１２】
前記金属不織布（４４）が、前記基体（２４）と前記少なくとも一つの保持ストリップ（４５、４５’）との間に締め付けられて部分的に保持されることを特徴とする、請求項１〜１１のいずれか一項に記載のスクリュー機械。
【請求項１３】
前記保持ストリップ（４５’、４６’）が保持フレーム（５２）として形成されることを特徴とする、請求項１〜１２のいずれか一項に記載のスクリュー機械。
【請求項１４】
金属織物が補強部品として前記金属不織布（４４）に設けられることを特徴とする、請求項１〜１３のいずれか一項に記載のスクリュー機械。
【手続補正書】
【提出日】平成22年10月12日(2010.10.12)
【手続補正１】
【補正対象書類名】明細書
【補正対象項目名】００５０
【補正方法】変更
【補正の内容】
【００５０】
金属塩水溶液の濃度（第１の水溶液中の金属Ａのハロゲン化物もしくは硝酸塩の濃度、および、第２の水溶液中の酸アルカリ金属塩の濃度）は、好ましくは５から５００ｍｍｏｌ／Ｌ、より好ましくは１０から３００ｍｍｏｌ／Ｌの範囲である。水溶液濃度が５ｍｍｏｌ／Ｌ以上である場合、反応スケールに対して収量が少なくなって効率的でなくなることを容易に防止できる。また５００ｍｍｏｌ／Ｌ以下である場合、水溶液自体が析出などの観点から不安定になることを容易に防止でき、沈殿時に局所的に反応が起こることによって凝集が加速されることを容易に防止することができる。
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
所定の開閉動作を行い、閉状態から開状態に変化することで前記遊技媒体が入賞可能となる開閉入賞装置と、
前記抽選手段の抽選結果が当りである場合には、前記開閉入賞装置の開閉動作を複数回行うことで、遊技者に特定の利益を付与する特定利益付与手段と、
遊技の進行に伴う遊技状態および前記抽選手段の抽選結果に関する演出画像を表示する演出表示装置と、
複数種類の装飾図柄が予め定められた順序で配列された装飾図柄列を複数記憶する装飾図柄列記憶手段と、
前記抽選手段の抽選結果が当りである場合には、特定の装飾図柄の組合せに決定する一方、前記抽選手段の抽選結果が外れである場合には、前記特定の装飾図柄の組合せとはならない装飾図柄の組合せに決定する最終停止図柄決定手段と、
前記複数の装飾図柄列のうち最後に停止される最終停止図柄列が停止するよりも前の段階で、既に停止している装飾図柄をリーチ形成図柄として、前記特定の装飾図柄の組合せの一部を構成するリーチ状態が前記複数の装飾図柄列にまたがる複数の有効ライン上に停止されるか否かを決定するリーチ状態決定手段と、
前記入賞状態検出手段による前記遊技媒体の検出を契機として、前記演出表示装置の表示領域に一列あたり所定数の装飾図柄が視認可能となるように前記複数の装飾図柄列を変動させるとともに、前記有効ライン上に前記最終停止図柄決定手段及び前記リーチ状態決定手段の決定結果に対応した装飾図柄の停止図柄で変動を順次停止させる装飾図柄列変動制御手段と、を備え、
前記装飾図柄列記憶手段には、各々の装飾図柄列に前記リーチ形成図柄として機能しないブランク図柄が含まれながらも、少なくとも前記複数の装飾図柄列のうち最初に停止される第一停止図柄列に、前記所定数程度の種類の装飾図柄の集団からなる特定の装飾図柄群が配列の一部に含まれるかたちで記憶されていることを特徴とする遊技機。
【請求項２】
前記装飾図柄列記憶手段には、前記有効ライン上に前記リーチ状態が停止するか否かの第二停止図柄列にも、前記特定の装飾図柄群が配列の一部に含まれるかたちで記憶されていることを特徴とする請求項１記載の遊技機。
【請求項３】
前記装飾図柄列記憶手段には、前記ブランク図柄が挟まれることのない順序で、前記所定数程度の種類の装飾図柄が配列された前記特定の装飾図柄群と、前記ブランク図柄が間隙に挟まれる順序で、前記特定の装飾図柄群と同等の装飾図柄が配列された非特定の装飾図柄群と、から構成される装飾図柄列が前記最終停止図柄列を除いて記憶されていることを特徴とする請求項１または請求項２に記載の遊技機。
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、
該遊技領域に設けられた複数種類の入賞口と、
該複数種類の入賞口のうち始動入賞口に遊技球が入球したことに基づいて遊技者に所定の利益を付与する利益付与状態に制御するか否かを判定する利益付与判定手段と、
前記利益付与判定手段による判定がなされたことに基づいて複数種類の図柄情報を変動表示して所定の表示結果を導出表示する表示手段と、
前記遊技領域に設けられ、遊技球を受け入れ可能な開放状態と遊技球を受け入れ困難な閉塞状態とに変化可能な大入賞口開閉手段と、を備え、
前記利益付与判定手段により前記利益付与状態に制御すると判定されたことに基づいて前記表示手段に特定表示結果を導出表示し、前記大入賞口開閉手段を前記開放状態に変化させて前記利益付与状態に制御する遊技機であって、
遊技者に操作可能に設けられる操作手段と、
前記表示手段を表示制御する表示制御手段と、
該表示制御手段により前記図柄情報の変動表示を開始してから前記表示結果を導出表示する以前に、当該変動表示の表示結果が前記特定表示結果となることを示唆する予告演出を所定回数実行する連続予告演出するか否かを判定する予告演出判定手段と、
該予告演出判定手段によって前記連続予告演出すると判定されたとき、当該連続予告演出にて実行可能な予告演出回数を決定する予告回数決定手段と、を備え、
前記表示制御手段は、
前記利益付与判定手段の判定結果に基づいて前記特定表示結果となる割合の異なる複数の示唆度合いのいずれかを表示し、
前記予告演出判定手段により前記連続予告演出すると判定されたとき、
前記操作手段の操作を促す操作促進態様を表示制御して該操作促進態様を表示制御してからの所定期間内に前記操作手段が操作されたことに基づいて前記予告演出を実行する単発予告演出を、前記予告回数決定手段によって決定された前記予告演出回数に達するまで実行し、
前記予告回数決定手段によって決定された前記予告演出回数のうち２回目以降の単発予告演出を実行するときに、前回の単発予告演出にて表示した示唆度合いを保持した状態で前記単発予告演出を実行し、前記所定期間内に前記操作手段が操作されたことに基づいて前回の単発予告演出にて表示した示唆度合いと同等若しくは該示唆度合いよりも前記特定表示結果となる割合の高い示唆度合いを表示することを特徴とする遊技機。
【請求項２】
前記予告演出判定手段により前記連続予告演出すると判定されたとき、前記利益付与判定手段の判定結果に基づいて当該連続予告演出を実行して遊技者に表示可能な示唆度合いの上限を決定する最終示唆度合決定手段と、
前記所定期間内に前記操作手段が操作されたことに基づいて前記表示制御手段により表示する示唆度合いを、前記最終示唆度合決定手段によって決定された示唆度合いによって示される前記特定表示結果となる割合を超えない示唆度合いのいずれかに決定する中間示唆度合決定手段と、をさらに備えることを特徴とする請求項１記載の遊技機。
【請求項３】
前記中間示唆度合決定手段は、前記所定期間内に前記操作手段が操作される毎に前記最終示唆度合決定手段によって決定された示唆度合いによって示される前記特定表示結果となる割合を超えない示唆度合いのいずれかに決定し、
前記表示制御手段は、前記中間示唆度合決定手段によって前記示唆度合いが決定されたことに基づいて当該示唆度合いを表示することを特徴とする請求項２記載の遊技機。
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
所定の開閉動作を行い、閉状態から開状態に変化することで前記遊技媒体が入賞可能となる開閉入賞装置と、
前記抽選手段の抽選結果が当りである場合には、前記開閉入賞装置の開閉動作を複数回行うことで、遊技者に特定の利益を付与する特定利益付与手段と、
遊技の進行に伴う遊技状態および前記抽選手段の抽選結果に関する演出画像を表示する演出表示装置と、
複数種類の装飾図柄が予め定められた順序で配列された装飾図柄列を複数記憶する装飾図柄列記憶手段と、
前記抽選手段の抽選結果が当りである場合には、特定の装飾図柄の組合せに決定する一方、前記抽選手段の抽選結果が外れである場合には、前記特定の装飾図柄の組合せとはならない装飾図柄の組合せに決定する最終停止図柄決定手段と、
前記複数の装飾図柄列のうち最後に停止される最終停止図柄列が停止するよりも前の段階で、既に停止している装飾図柄をリーチ形成図柄として、前記特定の装飾図柄の組合せの一部を構成するリーチ状態が前記複数の装飾図柄列にまたがる複数の有効ライン上に停止されるか否かを決定するリーチ状態決定手段と、
前記入賞状態検出手段による前記遊技媒体の検出を契機として、前記演出表示装置の表示領域に一列あたり所定数の装飾図柄が視認可能となるように前記複数の装飾図柄列を変動させるとともに、前記有効ライン上に前記最終停止図柄決定手段及び前記リーチ状態決定手段の決定結果に対応した装飾図柄の停止図柄で変動を順次停止させる装飾図柄列変動制御手段と、
前記入賞状態検出手段による前記遊技媒体の検出が一回でありながらも、前記複数の装飾図柄列が複数回にわたって変動するかのように前記複数の装飾図柄列を変動させる連続変動演出を実行し、前記有効ライン上に前記特定の装飾図柄の組合せとはならない装飾図柄の仮停止図柄で変動を仮停止させるのを契機として、前記連続変動演出の実行を継続させる連続変動演出実行手段と、を備え、
前記連続変動演出実行手段は、前記抽選手段の抽選結果が当りである場合には、前記抽選手段の抽選結果が外れである場合よりも高い割合で前記連続変動演出を実行させるとともに、当該連続変動演出の実行を継続させるものであり、
前記装飾図柄列変動制御手段は、前記連続変動演出実行手段による前記連続変動演出の実行を終了する場合には、結果として当該連続変動演出の実行回数に対応する単数または複数のリーチ状態を前記有効ライン上に停止させる一方、前記連続変動演出の実行を継続する場合には、当該連続変動演出の実行回数に対応する単数または複数のリーチ状態に類似した仮停止図柄で変動を仮停止させることを特徴とする遊技機。
【請求項２】
前記リーチ状態決定手段は、前記抽選手段の抽選結果が当りである場合、前記有効ライン上に前記リーチ状態が停止されるとともに、前記抽選手段の抽選結果が外れである場合よりも高い割合で前記有効ライン上に停止される前記リーチ状態の数が多くなるように決定されるものであり、前記連続変動演出実行手段による前記連続変動演出の実行回数が多いほど、前記有効ライン上に停止される前記リーチ状態の数が多くなるように決定されることを特徴とする請求項１記載の遊技機。
【請求項３】
前記連続変動演出実行手段により前記連続変動演出を実行させる場合には、前記有効ライン上に仮停止される前記装飾図柄の仮停止図柄を、前記特定の装飾図柄の組合せとはならない装飾図柄の組合せに決定する仮停止図柄決定手段を備え、
前記仮停止図柄決定手段は、前記有効ライン上に仮停止される前記装飾図柄の仮停止図柄を、前記連続変動演出の実行回数に対応するリーチ状態からいずれかのリーチ形成図柄が１図柄ずれるように決定することを特徴とする請求項１または請求項２に記載の遊技機。
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
複数の図柄が付されると共に回動可能な複数の回動表示体が並んで配置される回動表示装置と、
遊技媒体を投入して行われる１回のゲーム毎に、特典役、当該特典役を除く一般役およびハズレ役の中からいずれかの役を選び出す内部抽選を行う抽選手段と、を備え、
前記複数の回動表示体の回動を開始させ、全ての前記回動表示体の停止操作が受け付けられると、１回のゲームの結果が所定の表示部に導出される遊技機であって、
前記回動表示体の停止操作が受け付けられたときに、前記内部抽選の結果に基づいて前記複数の回動表示体に跨る図柄組み合わせが前記所定の表示部に表出されるように、前記各回動表示体の回動の停止を制御する回動停止制御手段と、
全ての前記回動表示体が停止状態となったときに、前記特典役および前記一般役のうちいずれかの役に入賞したか否かを判定する図柄判定手段と、
前記図柄判定手段により前記特典役に入賞したと判定されたときに、特典ゲームとして所定期間に跨って行われる第１特典ゲームを付与する第１特典ゲーム付与手段と、
遊技者に有利な特典ゲームとして一定期間に跨って行われうると共に、前記第１特典ゲームとは異なる第２特典ゲームを、付与する第２特典ゲーム付与手段と、
常には、前記第２特典ゲームが付与されることなく前記特典ゲームとしての前記第１特典ゲームのみが付与されうるノーマル状態に制御するノーマル状態制御手段と、
所定の周期で到来しうると共に、前記特典ゲームとしての前記第１特典ゲームおよび前記第２特典ゲームのいずれもが付与されうる遊技者に有利なチャンス状態に制御するチャンス状態制御手段と、
遊技状態の移行を制御する遊技状態移行制御手段と、を備え、
前記遊技状態移行制御手段は、
前記第２特典ゲームが少なくとも前記一定期間行われたのちは、遊技状態を、無期限に行われうる前記チャンス状態に移行または復帰させるチャンス状態切替手段と、
前記チャンス状態を含む有利遊技を、当該チャンス状態中において特定の条件が成立しない限り、前記有利遊技のみを行い続ける有利遊技継続手段と、を有する
ことを特徴とする遊技機。
【請求項２】
前記有利遊技は、前記チャンス状態および前記第２特典ゲームである
請求項１に記載の遊技機。
【請求項３】
前記抽選手段は、遊技媒体を投入して行われる１回のゲーム毎に乱数を取得し、この取得した乱数に基づいて前記内部抽選を行うものである
請求項１または２に記載の遊技機。
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、
該遊技領域に設けられた複数種類の入賞口と、
該複数種類の入賞口のうち始動入賞口に遊技球が入球したことに基づいて遊技者に所定の利益を付与する利益付与状態に制御するか否かを判定する利益付与判定手段と、
前記利益付与判定手段による判定がなされたことに基づいて複数種類の図柄情報を変動表示して所定の表示結果を導出表示する表示手段と、
前記遊技領域に設けられ、遊技球を受け入れ可能な開放状態と遊技球を受け入れ困難な閉塞状態とに変化可能な大入賞口開閉手段と、を備え、
前記利益付与判定手段により前記利益付与状態に制御すると判定されたことに基づいて前記表示手段に特定表示結果を導出表示し、前記大入賞口開閉手段を前記開放状態に変化させて前記利益付与状態に制御する遊技機であって、
遊技者に操作可能に設けられる操作手段と、
前記表示手段を表示制御する表示制御手段と、
該表示制御手段により前記図柄情報の変動表示を開始してから前記表示結果を導出表示する以前に当該変動表示の表示結果が前記特定表示結果となる可能性の高低を示唆する予告演出を実行するか否かを判定する予告演出判定手段と、
該予告演出判定手段によって前記予告演出を実行すると判定したことに基づいて予め決められた所定期間内における前記操作手段の操作に基づいて前記予告演出を実行する複数種類の操作予告演出と前記操作手段の操作を伴うことなく前記予告演出を実行する複数種類の非操作予告演出とのうちいずれの予告演出を実行するかを決定する予告演出決定手段と、を備え、
前記表示制御手段は、
前記予告演出決定手段により前記複数種類の操作予告演出のうち前記図柄情報の変動表示を開始してから前記表示結果を導出表示するまでの期間に１回の予告演出を実行可能な単発操作予告演出に決定されたとき、前記操作手段の操作を促す操作促進態様を表示制御し、
該操作促進態様を表示制御してからの所定期間内に前記操作手段が操作された場合には該操作手段の操作に応じた前記予告演出を実行して前記単発操作予告演出を終了し、
前記所定期間内に前記操作手段が操作されなかった場合には前記予告演出を実行することなく前記単発操作予告演出を終了し、
前記予告演出決定手段により前記複数種類の操作予告演出のうち前記図柄情報の変動表示を開始してから前記表示結果を導出表示するまでの期間に所定回数の前記単発操作予告演出を実行可能な連続操作予告演出に決定されたとき、
前記単発操作予告演出と同様の制御を実行して前記所定期間内に操作手段が操作された場合には前記操作促進態様の表示回数が前記所定回数に達していないことを条件に前記単発操作予告演出の終了後に再び前記単発操作予告演出と同様の制御を開始し、
前記単発操作予告演出と同様の制御を実行して前記所定期間内に操作手段が操作されなかった場合には前記操作促進態様の表示回数が前記所定回数に達していないことを条件に前記所定回数に応じた前記非操作予告演出を実行することを特徴とする遊技機。
【請求項２】
前記連続操作予告演出は、予め決められた第１回数の前記単発操作予告演出を実行可能な第１連続操作予告演出と前記第１回数よりも少ない第２回数の前記単発操作予告演出を実行可能な第２連続操作予告演出とを含み、
前記予告演出決定手段は、前記利益付与判定手段により前記利益付与状態に制御すると判定されたときに前記第２連続操作予告演出よりも高い割合で前記第１連続操作予告演出に決定することを特徴とする請求項１記載の遊技機。
【請求項３】
前記複数種類の非操作予告演出は、前記特定表示結果となる可能性が異なる複数の示唆度合いを、所定の示唆度合いまで段階的に表示する非操作段階予告演出を含み、
前記予告演出決定手段は、前記利益付与判定手段により前記利益付与状態に制御すると判定されたときに前記利益付与状態に制御すると判定されなかったときよりも高い割合で段階的に表示される示唆度合いの高い非操作段階予告演出に決定し、
前記表示制御手段は、
前記所定期間内に操作手段が操作されなかったとき、前記操作促進態様の表示回数が前記所定回数に達していないことを条件に前記所定回数に応じた示唆度合いの非操作段階予告演出を実行することを特徴とする請求項２記載の遊技機。
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
利用者により操作される操作部を外面に備えた電子機器であって、
有効な非接触キー媒体を識別する固有情報を保持する固有情報保持手段と、
近接された非接触キー媒体からその保持情報を読み込む情報読込手段と、
前記非接触キー媒体からの読込情報を前記固有情報と比較して有効であるか否かを判断する有効性判断手段と、
前記非接触キー媒体からの読込情報が有効であると判断された場合に、前記利用者が前記操作部により前記電子機器を操作する前記電子機器の本来的な機能を発揮するモードから、前記電子機器を前記操作部による調整操作を可能とした調整モードに移行させるモード移行手段と
を備えたことを特徴とする電子機器。
【請求項２】
請求項１に記載の電子機器において、
前記有効性判断手段により前記非接触キー媒体からの読込情報が有効であると判断された場合に、前記電子機器の稼働状況を示す情報を前記非接触キー媒体に書き込む情報書込手段
を更に備えたことを特徴とする電子機器。
【請求項３】
請求項１または２のいずれか一項に記載の電子機器において、
前記有効性判断手段は、前記非接触キー媒体からの読込情報が有効でないと判断した場合に警告を発する
ことを特徴とする電子機器。
【請求項４】
請求項１乃至３のいずれか一項に記載の電子機器において、
前記固有情報保持手段は、前記固有情報と対応付けて前記非接触キー媒体に設定された、当該非接触キー媒体ごとに実行できる機能を制限するための権限フラグ情報を保持し、
前記有効性判断手段は、前記非接触キー媒体からの読込情報に含まれる前記固有情報に相当する情報と前記権限フラグ情報に相当する情報とを前記固有情報および前記権限フラグ情報とそれぞれ比較して有効であるか否かを判断する
ことを特徴とする電子機器。
【請求項５】
請求項１乃至４のいずれか一項に記載の電子機器において、
１または複数の前記非接触キー媒体からの読込情報に基づいて、当該読込情報に含まれる前記固有情報を前記固有情報保持手段に登録する固有情報登録手段
を更に備えたことを特徴とする電子機器。
【請求項６】
請求項１乃至５のいずれか一項に記載の電子機器において、
１または複数の前記非接触キー媒体からの読込情報に基づいて、当該読込情報に含まれる前記固有情報をまとめた一括登録用情報を前記非接触キー媒体に登録する一括登録用情報登録手段
を更に備えたことを特徴とする電子機器。
【請求項７】
利用者により操作される操作部を外面に備えるとともに、記憶手段と、非接触キー媒体から情報の読み込みを行う情報読込手段とを備えた電子機器の制御プログラムであって、
前記電子機器を構成するコンピュータを、
有効な非接触キー媒体を識別する固有情報を前記記憶手段に保持する手段、
近接された非接触キー媒体からその保持情報を前記情報読込手段により読み込む手段、
前記非接触キー媒体からの読込情報を前記固有情報と比較して有効であるか否かを判断する手段、
前記非接触キー媒体からの読込情報が有効であると判断された場合に、前記利用者が前記操作部により前記電子機器を操作する前記電子機器の本来的な機能を発揮するモードから、前記電子機器を前記操作部による調整操作を可能とした調整モードに移行させる手段
として機能させるための電子機器制御プログラム。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
また、請求項７に記載されるように、利用者により操作される操作部を外面に備えるとともに、記憶手段と、非接触キー媒体から情報の読み込みを行う情報読込手段とを備えた電子機器の制御プログラムであって、前記電子機器を構成するコンピュータを、有効な非接触キー媒体を識別する固有情報を前記記憶手段に保持する手段、近接された非接触キー媒体からその保持情報を前記情報読込手段により読み込む手段、前記非接触キー媒体からの読込情報を前記固有情報と比較して有効であるか否かを判断する手段、前記非接触キー媒体からの読込情報が有効であると判断された場合に、前記利用者が前記操作部により前記電子機器を操作する前記電子機器の本来的な機能を発揮するモードから、前記電子機器を前記操作部による調整操作を可能とした調整モードに移行させる手段として機能させるための電子機器制御プログラムとして構成することができる。
【手続補正４】
【補正対象書類名】明細書
【補正対象項目名】００１５
【補正方法】削除
【補正の内容】
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
始動条件の成立に伴って図柄制御コマンドと演出パターン制御コマンドの抽選を行い、前記図柄制御コマンドと前記演出パターン制御コマンドを送信する主制御手段と、前記主制御手段から受信した演出パターン制御コマンドに基づいて演出画像表示装置に演出画像を表示する表示を行う図柄制御手段と、を備え、前記図柄制御手段が、前記演出パターン制御コマンドに基づいてミッション演出を実行可能に構成されたパチンコ遊技機において、
前記図柄制御手段は、ミッション演出実行時、前記演出画像表示装置に複数の図柄を含むミッション演出画像の表示制御を行う演出画像表示制御手段と、
前記主制御手段からの図柄制御コマンドに基づいて前記演出画像表示装置に図柄変動画像を表示する図柄変動処理手段と、
前記図柄変動処理手段により前記演出画像表示装置に特定の図柄変動画像を表示したときに、前記ミッション演出画像から特定の図柄画像を選択的に除外する図柄選択除外手段と、前記ミッション演出の実行開始から終了までの所定期間をカウントするカウント手段と、
を備えたことを特徴とするパチンコ遊技機。
【請求項２】
前記図柄選択除外手段は、前記図柄変動処理手段により前記演出画像表示装置にリーチ図柄画像が表示されたときの当該リーチ図柄画像におけるハズレ図柄画像を、前記ミッション演出画像から選択的に除外することを特徴とする請求項１に記載のパチンコ遊技機。
【請求項３】
前記図柄制御手段は、大当たり当選時、前記ミッション演出画像から除外する必要がある図柄の枚数を判定する図柄枚数判定手段を備え、
前記図柄選択除去手段は、前記図柄変動処理手段における一回の図柄変動処理において、前記図柄枚数判定手段により判定された枚数分の図柄を除去することを特徴とする請求項１又は２に記載のパチンコ遊技機。
【請求項４】
前記演出画像表示装置は、前記図柄変動画像を表示する図柄表示領域と、前記ミッション演出画像の課題内容を表示する課題表示領域と、前記ミッション演出画像を表示する演出表示領域と、を備えていることを特徴とする請求項１乃至３の何れか一項に記載のパチンコ遊技機。
【手続補正２】
【補正対象書類名】明細書
【補正対象項目名】発明の名称
【補正方法】変更
【補正の内容】
【発明の名称】パチンコ遊技機
【手続補正３】
【補正対象書類名】明細書
【補正対象項目名】０００５
【補正方法】変更
【補正の内容】
【０００５】
上記目的を達成するため、請求項１に記載の発明は、始動条件の成立に伴って図柄制御コマンドと演出パターン制御コマンドの抽選を行い、前記図柄制御コマンドと前記演出パターン制御コマンドを送信する主制御手段と、前記主制御手段から受信した演出パターン制御コマンドに基づいて演出画像表示装置に演出画像を表示する表示を行う図柄制御手段と、を備え、前記図柄制御手段が、前記演出パターン制御コマンドに基づいてミッション演出を実行可能に構成されたパチンコ遊技機において、前記図柄制御手段は、ミッション演出実行時、前記演出画像表示装置に複数の図柄を含むミッション演出画像の表示制御を行う演出画像表示制御手段と、前記主制御手段からの図柄制御コマンドに基づいて前記演出画像表示装置に図柄変動画像を表示する図柄変動処理手段と、前記図柄変動処理手段により前記演出画像表示装置に特定の図柄変動画像を表示したときに、前記ミッション演出画像から特定の図柄画像を選択的に除外する図柄選択除外手段と、前記ミッション演出の実行開始から終了までの所定期間をカウントするカウント手段と、を備えたことを特徴とする。
【手続補正４】
【補正対象書類名】明細書
【補正対象項目名】０００６
【補正方法】変更
【補正の内容】
【０００６】
請求項２に記載の発明は、前記図柄選択除外手段は、前記図柄変動処理手段により前記演出画像表示装置にリーチ図柄画像が表示されたときの当該リーチ図柄画像におけるハズレ図柄画像を、前記ミッション演出画像から選択的に除外することを特徴とする。
請求項３に記載の発明は、前記図柄制御手段は、大当たり当選時、前記ミッション演出画像から除外する必要がある図柄の枚数を判定する図柄枚数判定手段を備え、前記図柄選択除去手段は、前記図柄変動処理手段における一回の図柄変動処理において、前記図柄枚数判定手段により判定された枚数分の図柄を除去することを特徴とする。
請求項４に記載の発明は、前記演出画像表示装置は、前記図柄変動画像を表示する図柄表示領域と、前記ミッション演出画像の課題内容を表示する課題表示領域と、前記ミッション演出画像を表示する演出表示領域と、を備えていることを特徴とする。
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
外周面が複数に分割されＳ極とＮ極が交互にくるように着磁されたマグネットを有する回転可能なロータと、
前記マグネットの着磁面に対向する第１の磁極部と、
前記マグネットの着磁面に対向する第２の磁極部と、
第１の磁極部を励磁する第１のコイルと、
第２の磁極部を励磁する第２のコイルと、
前記マグネットの磁界を検出する磁気検出手段と、
前記磁気検出手段の移動範囲を設定する移動範囲設定手段と、を有するモータにおいて、
前記第１の磁極部および前記第２の磁極部は前記ロータの回転軸と平行な方向に延出して形成され、
前記移動範囲設定手段は、前記マグネットの磁極の境界線に対して直交する方向における前記磁気検出手段の移動量をΔｘとし、前記ロータの回転軸と前記マグネットの磁極の境界線とのなす角αとするとき、前記磁気検出手段の移動量ΔｙがΔｘ／ｓｉｎαとなる範囲を、前記磁気検出手段の移動範囲として設定することを特徴とするモータ。
【請求項２】
外周面が複数に分割されＳ極とＮ極が交互にくるように着磁されたマグネットを有する回転可能なロータと、
前記マグネットの着磁面に対向する第１の磁極部と、
前記マグネットの着磁面に対向する第２の磁極部と、
第１の磁極部を励磁する第１のコイルと、
第２の磁極部を励磁する第２のコイルと、
前記マグネットの磁界を検出する磁気検出手段と、
前記磁気検出手段の移動範囲を設定する移動範囲設定手段と、を有するモータにおいて、
前記第１の磁極部および前記第２の磁極部は前記ロータの回転軸に対して角度αだけ傾いた方向に延出して形成され、
前記移動範囲設定手段は、前記マグネットの磁極の境界線に対して直交する方向における前記磁気検出手段の移動量をΔｘとするとき、前記磁気検出手段の移動量ΔｙがΔｘ／ｓｉｎαとなる範囲を、前記磁気検出手段の移動範囲として設定することを特徴とするモータ。
【手続補正２】
【補正対象書類名】明細書
【補正対象項目名】００１８
【補正方法】変更
【補正の内容】
【００１８】
上記課題を解決するために、本発明は、外周面が複数に分割されＳ極とＮ極が交互にくるように着磁されたマグネットを有する回転可能なロータと、前記マグネットの着磁面に対向する第１の磁極部と、前記マグネットの着磁面に対向する第２の磁極部と、第１の磁極部を励磁する第１のコイルと、第２の磁極部を励磁する第２のコイルと、前記マグネットの磁界を検出する磁気検出手段と、前記磁気検出手段の移動範囲を設定する移動範囲設定手段と、を有するモータにおいて、前記第１の磁極部および前記第２の磁極部は前記ロータの回転軸と平行な方向に延出して形成され、前記移動範囲設定手段は、前記マグネットの磁極の境界線に対して直交する方向における前記磁気検出手段の移動量をΔｘとし、前記ロータの回転軸と前記マグネットの磁極の境界線とのなす角αとするとき、前記磁気検出手段の移動量ΔｙがΔｘ／ｓｉｎαとなる範囲を、前記磁気検出手段の移動範囲として設定することを特徴とする。
【手続補正３】
【補正対象書類名】明細書
【補正対象項目名】００１９
【補正方法】変更
【補正の内容】
【００１９】
上記課題を解決するために、本発明は、外周面が複数に分割されＳ極とＮ極が交互にくるように着磁されたマグネットを有する回転可能なロータと、前記マグネットの着磁面に対向する第１の磁極部と、前記マグネットの着磁面に対向する第２の磁極部と、第１の磁極部を励磁する第１のコイルと、
第２の磁極部を励磁する第２のコイルと、前記マグネットの磁界を検出する磁気検出手段と、前記磁気検出手段の移動範囲を設定する移動範囲設定手段と、を有するモータにおいて、前記第１の磁極部および前記第２の磁極部は前記ロータの回転軸に対して角度αだけ傾いた方向に延出して形成され、前記移動範囲設定手段は、前記マグネットの磁極の境界線に対して直交する方向における前記磁気検出手段の移動量をΔｘとするとき、前記磁気検出手段の移動量ΔｙがΔｘ／ｓｉｎαとなる範囲を、前記磁気検出手段の移動範囲として設定することを特徴とする。
【手続補正４】
【補正対象書類名】明細書
【補正対象項目名】００７１
【補正方法】変更
【補正の内容】
【００７１】
なお、本実施形態においては、マグネットの極数ｎを１０極、ロータの回転軸から磁気センサまでの距離Ｒを３．０ｍｍ、磁気センサ出力信号の調整量Δθを１０°、マグネットの境界線とロータの回転軸のなす角αを１０°とする。
【手続補正５】
【補正対象書類名】明細書
【補正対象項目名】００７２
【補正方法】変更
【補正の内容】
【００７２】
この場合、従来例の磁気センサの配置位置調整方法だと、磁気センサの移動量Δｘは０．１０ｍｍになるのに対し、本実施形態における磁気センサの配置位置調整方法だと、磁気センサの移動量Δｙは０．５８ｍｍとなる。
【手続補正６】
【補正対象書類名】明細書
【補正対象項目名】００９２
【補正方法】変更
【補正の内容】
【００９２】
第１の磁極歯郡１５ａ−１は、マグネット１２と所定の間隔をもち、それぞれロータの回転軸に対してα°の角度で延び、第１のコイル４ａに通電することで励磁される。また、その本数はｎ／２本であることが望ましく、本実施形態では５本である。それぞれの磁極歯は等間隔に配置され、磁極歯の間隔は３６０／ｎ°（本実施形態では７２°）となる。
【手続補正７】
【補正対象書類名】明細書
【補正対象項目名】００９４
【補正方法】変更
【補正の内容】
【００９４】
第２の磁極歯郡１５ｂ−１は、マグネット１２と所定の間隔をもち、それぞれロータの回転軸に対してα°の角度で延び、第２のコイル４ｂに通電することで励磁される。また、その本数はｎ／２本であることが望ましく、本実施形態では５本である。それぞれの磁極歯は等間隔に配置され、磁極歯の間隔は３６０／ｎ°（本実施形態では７２°）となる。
【手続補正８】
【補正対象書類名】図面
【補正対象項目名】図４
【補正方法】変更
【補正の内容】
【図４】
2009072013.tif 000001
【手続補正９】
【補正対象書類名】図面
【補正対象項目名】図７
【補正方法】変更
【補正の内容】
【図７】
2009072013.tif 000002